(57)【要約】【課題】保守運転を店舗稼働状況に応じて実施すること。【解決手段】店舗１に設置されるショーケース１０に適用される制御装置２０であって、入力した店舗販売情報から所定期間における単位時間当たりの販売数を算出し、単位時間当たりの販売数の値が連続して閾値以下となる時間帯は、他の時間帯よりも商品の冷却源となる蒸発器に付着した霜を除去する除霜運転を優先させる除霜優先モードに設定するものである。【選択図】図１
2018115810.tif 000002
【特許請求の範囲】
【請求項１】
店舗に設置される店舗内機器に適用される制御装置であって、
入力した店舗稼働情報から所定期間における単位時間当たりの店舗稼働値を算出し、前記単位時間当たりの店舗稼働値が連続して予め設定された閾値以下となる時間帯は、他の時間帯よりも保守運転を優先させる保守優先モードに設定する制御手段を備えたことを特徴とする店舗内機器の制御装置。
【請求項２】
前記店舗内機器は、収納室に陳列された商品を冷却するショーケースであり、
前記制御手段は、入力した店舗販売情報から所定期間における単位時間当たりの販売数を算出し、前記単位時間当たりの販売数の値が連続して前記閾値以下となる時間帯は、他の時間帯よりも前記商品の冷却源となる蒸発器に付着した霜を除去する除霜運転を優先させる除霜優先モードに設定することを特徴とする請求項１に記載の店舗内機器の制御装置。
【請求項３】
前記制御手段は、前記他の時間帯は通常モードに設定するものであり、かつ前記通常モードに設定した場合には、前記蒸発器の近傍に設置された温度検出手段により検出された温度が予め決められた基準温度以上となる回数が連続して第１基準回数以上となるときに除霜運転を行う一方、前記除霜優先モードに設定した場合には、前記温度検出手段により検出された温度が前記基準温度以上となる回数が連続して前記第１基準回数よりも少ない第２基準回数以上となるときに除霜運転を行うことを特徴とする請求項２に記載の店舗内機器の制御装置。
【発明の詳細な説明】
【技術分野】
【０００１】
本発明は、店舗に設置される店舗内機器に適用される制御装置に関するものである。
【背景技術】
【０００２】
従来、収納室に陳列された商品を冷却するショーケースにおいては、商品の冷却源となる蒸発器に霜が付着するいわゆる着霜の影響により上記商品の冷却効率が低下することを防止すべく、予め決められた時間帯に上記蒸発器に付着した霜を除去する除霜運転を行っている（例えば、特許文献１参照）。
【先行技術文献】
【特許文献】
【０００３】
【特許文献１】特開平７−１８０９４５号公報
【発明の概要】
【発明が解決しようとする課題】
【０００４】
ところが、上述したショーケースでは、予め決められた時間帯に除霜運転を行っていたので、次のような問題があった。すなわち、ショーケースが設置される店舗が例えば２４時間営業である場合、店舗に多くの顧客が来店しているにも関わらずショーケースが除霜運転を行うことがあり、店舗の稼働状況に応じて除霜運転を実施することができなかった。これにより、陳列された商品を冷却が不十分となる虞れがあり、結果的に商品の販売機会を逸脱して好ましくない。
【０００５】
尚、ここでは店舗内機器の一例としてショーケースについて述べるとともに、保守運転の一例として除霜運転について述べたが、飲料容器に飲料を提供する飲料提供装置等の店舗内機器において、飲料供給ラインの洗浄運転等の保守運転について同様の問題があることは言うまでもない。
【０００６】
本発明は、上記実情に鑑みて、保守運転を店舗稼働状況に応じて実施することができる店舗内機器の制御装置を提供することを目的とする。
【課題を解決するための手段】
【０００７】
上記目的を達成するために、本発明に係る店舗内機器の制御装置は、店舗に設置される店舗内機器に適用される制御装置であって、入力した店舗稼働情報から所定期間における単位時間当たりの店舗稼働値を算出し、前記単位時間当たりの店舗稼働値が連続して予め設定された閾値以下となる時間帯は、他の時間帯よりも保守運転を優先させる保守優先モードに設定する制御手段を備えたことを特徴とする。
【０００８】
また本発明は、上記店舗内機器の制御装置において、前記店舗内機器は、収納室に陳列された商品を冷却するショーケースであり、前記制御手段は、入力した店舗販売情報から所定期間における単位時間当たりの販売数を算出し、前記単位時間当たりの販売数の値が連続して前記閾値以下となる時間帯は、他の時間帯よりも前記商品の冷却源となる蒸発器に付着した霜を除去する除霜運転を優先させる除霜優先モードに設定することを特徴とする。
【０００９】
また本発明は、上記店舗内機器の制御装置において、前記制御手段は、前記他の時間帯は通常モードに設定するものであり、かつ前記通常モードに設定した場合には、前記蒸発器の近傍に設置された温度検出手段により検出された温度が予め決められた基準温度以上となる回数が連続して第１基準回数以上となるときに除霜運転を行う一方、前記除霜優先モードに設定した場合には、前記温度検出手段により検出された温度が前記基準温度以上となる回数が連続して前記第１基準回数よりも少ない第２基準回数以上となるときに除霜運転を行うことを特徴とする。
【発明の効果】
【００１０】
本発明によれば、制御手段が、入力した店舗稼働情報から所定期間における単位時間当たりの店舗稼働値を算出し、単位時間当たりの店舗稼働値が連続して予め設定された閾値以下となる時間帯は、他の時間帯よりも保守運転を優先させる保守優先モードに設定するので、保守運転を店舗稼働状況に応じて実施することができるという効果を奏する。
【図面の簡単な説明】
【００１１】
【図１】図１は、本発明の実施の形態である制御装置が適用された店舗内機器を模式的に示す模式図である。
【図２】図２は、図１に示した制御装置の設定制御部が所定のタイムスケジュールで実施するモード設定処理の処理内容を示すフローチャートである。
【図３】図３は、図２に示した処理で算出された所定期間における単位時間当たりの販売数を示す図表である。
【図４】図４は、図２で設定した通常モードにおいて、図１に示した制御装置の運転制御部が実施する除霜運転処理の処理内容を示すフローチャートである。
【図５】図５は、図２で設定した除霜優先モードにおいて、図１に示した制御装置の運転制御部が実施する除霜運転処理の処理内容を示すフローチャートである。
【発明を実施するための形態】
【００１２】
以下に添付図面を参照して、本発明に係る店舗内機器の制御装置の好適な実施の形態について詳細に説明する。
【００１３】
図１は、本発明の実施の形態である制御装置が適用された店舗内機器を模式的に示す模式図である。ここで例示する店舗内機器は、例えばコンビニエンスストアやスーパー等の店舗１に設置されたショーケース１０として説明する。
【００１４】
ショーケース１０は、収納室１１に商品を陳列し、かかる商品を所望の温度に冷却するものである。このショーケース１０は、ファン１２、蒸発器１３、温度センサ１４、ヒータ１５及び制御装置２０を備えて構成されている。
【００１５】
ファン１２は、収納室１１に連通する風路（図示せず）に設置されている。このファン１２は、駆動する場合に、収納室１１の空気を風路と収納室１１との間で循環させるものである。
【００１６】
蒸発器１３は、風路に設置されている。この蒸発器１３は、圧縮機１６や図示せぬ凝縮器及び膨張機構とともに冷媒を循環させる冷凍サイクルを構成するものである。
【００１７】
ここで圧縮機１６は、駆動する場合に、蒸発器１３を通過した冷媒を吸引して圧縮するものである。凝縮器は、圧縮機１６で圧縮された冷媒を凝縮させて放熱させるものである。膨張機構は、凝縮器で凝縮された冷媒を減圧させて断熱膨張させるものである。
【００１８】
上記蒸発器１３は、膨張機構で断熱膨張した冷媒を蒸発させることにより、周囲の空気、すなわちファン１２の駆動により風路を通過する空気を冷却するものである。これにより、収納室１１に陳列された商品は冷却される。
【００１９】
温度センサ１４は、蒸発器１３の近傍に設置されている。この温度センサ１４は、蒸発器１３の周囲空気の温度を検出する温度検出手段である。かかる温度センサ１４は、検出した温度を検出信号として制御装置２０に与えるものである。
【００２０】
ヒータ１５は、蒸発器１３の近傍に設置されている。このヒータ１５は、制御装置２０から駆動指令が与えられた場合に駆動して通電状態となり、周囲を加熱する加熱手段である。
【００２１】
制御装置２０は、ショーケース１０の動作を統括的に制御するものであり、特徴的なものとして、制御手段を構成する設定制御部２０ａと運転制御部２０ｂとを備えている。
【００２２】
設定制御部２０ａは、メモリ２５ａに記憶されたプログラムやデータにしたがってショーケース１０の設定動作を制御するものであり、通信処理部２１ａ、算出処理部２２ａ及び設定処理部２３ａを備えている。尚、設定制御部２０ａは、例えば、ＣＰＵ（Ｃｅｎｔｒａｌ  Ｐｒｏｃｅｓｓｉｎｇ  Ｕｎｉｔ）等の処理装置にプログラムを実行させること、すなわち、ソフトウェアにより実現してもよいし、ＩＣ（Ｉｎｔｅｇｒａｔｅｄ  Ｃｉｒｃｕｉｔ）等のハードウェアにより実現してもよいし、ソフトウェア及びハードウェアを併用して実現してもよい。
【００２３】
通信処理部２１ａは、店舗１に設置された例えばＰＯＳ（Ｐｏｉｎｔ  Ｏｆ  Ｓａｌｅｓ）レジスタ装置等の上位機器２との間でデータの送受信等を行うものである。具体的には、通信処理部２１ａは、上位機器２から販売数（以下、店舗販売数ともいう）に関する店舗販売情報を受信している。
【００２４】
算出処理部２２ａは、通信処理部２１ａを通じて受信した店舗販売情報から、所定期間（例えば３０日間）における単位時間当たりの販売数を算出するものである。
【００２５】
設定処理部２３ａは、算出処理部２２ａを通じて算出された所定期間における単位時間当たりの販売数の値が、予め決められた基準販売数（例えば５０（閾値））以下となる時間帯を除霜運転優先モードに設定してメモリ２５ａに記憶させる一方、その他の時間帯を通常モードに設定してメモリ２５ａに記憶させるものである。
【００２６】
運転制御部２０ｂは、メモリ２５ｂに記憶されたプログラムやデータにしたがってショーケース１０の除霜運転動作を制御するものであり、入力処理部２１ｂ、比較処理部２２ｂ、判定処理部２３ｂ及び出力処理部２４ｂを備えている。尚、本実施の形態では、運転制御部２０ｂは、設定制御部２０ａとは個別なものとして説明しているが、本発明においては、運転制御部２０ｂは、設定制御部２０ａと統合して制御手段を形成してもよい。また、運転制御部２０ｂは、例えば、ＣＰＵ（Ｃｅｎｔｒａｌ  Ｐｒｏｃｅｓｓｉｎｇ  Ｕｎｉｔ）等の処理装置にプログラムを実行させること、すなわち、ソフトウェアにより実現してもよいし、ＩＣ（Ｉｎｔｅｇｒａｔｅｄ  Ｃｉｒｃｕｉｔ）等のハードウェアにより実現してもよいし、ソフトウェア及びハードウェアを併用して実現してもよい。
【００２７】
入力処理部２１ｂは、温度センサ１４からの検出信号（検出温度）を入力するものである。比較処理部２２ｂは、メモリ２５ｂに記憶された基準温度を読み出して、入力処理部２１ｂを通じて入力した検出温度が基準温度以上であるか否かを比較するものである。ここでメモリ２５ｂに記憶された基準温度は、予め決められたもので、除霜運転の有無の判断基準となる温度である。
【００２８】
また比較処理部２２ｂは、検出温度が基準温度以上である場合には、回数をカウントする一方検出温度が基準温度未満である場合には、カウント数をクリアにしてリセットするものである。
【００２９】
判定処理部２３ｂは、比較処理部２２ｂを通じてカウントされたカウント数（連続カウント数）が、予め設定された基準回数以上であるか否かを判定するものである。より詳細に説明すると、判定処理部２３ｂは、通常モードにおいては、連続カウント数が第１基準回数（例えば１０回）以上であるか否かを判定し、除霜優先モードにおいては、連続カウント数が第２基準回数（例えば３回）以上であるか否かを判定するものである。
【００３０】
出力処理部２４ｂは、判定処理部２３ｂを通じて連続カウント数が基準回数以上であると判定された場合に、各部（ファン１２、ヒータ１５、圧縮機１６）に対して除霜運転指令を出力するものである。具体的には、出力処理部２４ｂは、除霜運転指令を出力することにより、圧縮機１６を駆動停止にさせるとともに、ファン１２及びヒータ１５を駆動させるものである。
【００３１】
図２は、図１に示した制御装置２０の設定制御部２０ａが所定のタイムスケジュールで実施するモード設定処理の処理内容を示すフローチャートである。
【００３２】
このモード設定処理部２３ａにおいて、設定制御部２０ａは、通信処理部２１ａを通じて上位機器２から定期的に送出される店舗販売情報の入力待ちとなる（ステップＳ１０１）。通信処理部２１ａを通じて店舗販売情報を入力した場合、設定制御部２０ａは、算出処理部２２ａを通じて、図３に示すような所定期間における単位時間当たりの販売数を算出する（ステップＳ１０２）。
【００３３】
所定期間における単位時間当たりの販売数を算出した設定制御部２０ａは、設定処理部２３ａを通じて、単位時間当たりの販売数の値が５０（基準販売数の値）以下となる時間帯の有無について確認し（ステップＳ１０３）、単位時間当たりの販売数の値が５０以下となる連続した時間帯（２２時から７時までの時間帯（図３参照））については、除霜運転優先モードに設定してメモリ２５ａに記憶させ（ステップＳ１０３：Ｙｅｓ，ステップＳ１０４）、その後に手順をリターンさせて今回の処理を終了する。
【００３４】
その一方、単位時間当たりの販売数の値が５０以下ではない時間帯（８時から２１時までの時間帯（図３参照））については、通常モードに設定してメモリ２５ａに記憶させ（ステップＳ１０３：Ｎｏ，ステップＳ１０５）、その後に手順をリターンさせて今回の処理を終了する。
【００３５】
図４は、図２で設定した通常モードにおいて、図１に示した制御装置２０の運転制御部２０ｂが実施する除霜運転処理の処理内容を示すフローチャートである。
【００３６】
この通常モードでの除霜運転処理において、運転制御部２０ｂは、予め決められた時間毎（例えば５分間毎）に入力処理部２１ｂを通じて温度センサ１４からの検出信号の入力待ちとなる（ステップＳ２０１）。
【００３７】
入力処理部２１ｂを通じて温度センサ１４からの検出信号を入力した場合（ステップＳ２０１：Ｙｅｓ）、運転制御部２０ｂは、比較処理部２２ｂを通じて、メモリ２５ｂから基準温度を読み出し（ステップＳ２０２）、検出温度が基準温度以上であるか否かを比較する（ステップＳ２０３）。
【００３８】
検出温度が基準温度以上である場合（ステップＳ２０３：Ｙｅｓ）、運転制御部２０ｂは、比較処理部２２ｂを通じて「＋１」と加算することで、検出温度が連続して基準温度以上となる回数をカウントする（ステップＳ２０４）。
【００３９】
ステップＳ２０４の処理を実施した運転制御部２０ｂは、判定処理部２３ｂを通じて、比較処理部２２ｂでカウントされたカウント数（連続カウント数）が１０回以上であるか否かを判定する（ステップＳ２０５）。
【００４０】
連続カウント数が１０回以上でないと判定した場合（ステップＳ２０５：Ｎｏ）、運転制御部２０ｂは、ステップＳ２０１〜ステップＳ２０４の処理を繰り返す。その一方、連続カウント数が１０回以上であると判定した場合（ステップＳ２０５：Ｙｅｓ）、運転制御部２０ｂは、出力処理部２４ｂを通じて各部（ファン１２、ヒータ１５、圧縮機１６）に対して除霜運転指令を出力し、その後に手順をリターンさせて今回の処理を終了する。
【００４１】
このように出力処理部２４ｂにより除霜運転指令が出力されることにより、圧縮機１６は駆動停止し、ファン１２及びヒータ１５が駆動する。その結果、蒸発器１３に付着した霜を除去する除霜運転が行われる。
【００４２】
ところで、検出温度が基準温度未満である場合（ステップＳ２０３：Ｎｏ）、運転制御部２０ｂは、比較処理部２２ｂを通じて、カウント数をクリアにしてリセットし（ステップＳ２０７）、その後に手順をリターンさせて今回の処理を終了する。
【００４３】
これによれば、その後の除霜運転処理において検出温度が基準温度以上となる場合に、新たにカウントされることとなる。
【００４４】
図５は、図２で設定した除霜運転優先モードにおいて、図１に示した制御装置２０の運転制御部２０ｂが実施する除霜運転処理の処理内容を示すフローチャートである。
【００４５】
この除霜運転優先モードでの除霜運転処理において、運転制御部２０ｂは、予め決められた時間毎（例えば５分間毎）に入力処理部２１ｂを通じて温度センサ１４からの検出信号の入力待ちとなる（ステップＳ３０１）。
【００４６】
入力処理部２１ｂを通じて温度センサ１４からの検出信号を入力した場合（ステップＳ３０１：Ｙｅｓ）、運転制御部２０ｂは、比較処理部２２ｂを通じて、メモリ２５ｂから基準温度を読み出し（ステップＳ３０２）、検出温度が基準温度以上であるか否かを比較する（ステップＳ３０３）。
【００４７】
検出温度が基準温度以上である場合（ステップＳ３０３：Ｙｅｓ）、運転制御部２０ｂは、比較処理部２２ｂを通じて「＋１」と加算することで、検出温度が連続して基準温度以上となる回数をカウントする（ステップＳ３０４）。
【００４８】
ステップＳ３０４の処理を実施した運転制御部２０ｂは、判定処理部２３ｂを通じて、比較処理部２２ｂでカウントされたカウント数（連続カウント数）が３回以上であるか否かを判定する（ステップＳ３０５）。
【００４９】
連続カウント数が３回以上でないと判定した場合（ステップＳ３０５：Ｎｏ）、運転制御部２０ｂは、ステップＳ３０１〜ステップＳ３０４の処理を繰り返す。その一方、連続カウント数が３回以上であると判定した場合（ステップＳ３０５：Ｙｅｓ）、運転制御部２０ｂは、出力処理部２４ｂを通じて各部（ファン１２、ヒータ１５、圧縮機１６）に対して除霜運転指令を出力し、その後に手順をリターンさせて今回の処理を終了する。
【００５０】
このように出力処理部２４ｂに除霜運転指令を出力されることにより、圧縮機１６は駆動停止し、ファン１２及びヒータ１５が駆動する。その結果、蒸発器１３に付着した霜を除去する除霜運転が行われる。
【００５１】
ところで、検出温度が基準温度未満である場合（ステップＳ３０３：Ｎｏ）、運転制御部２０ｂは、比較処理部２２ｂを通じて、カウント数をクリアにしてリセットし（ステップＳ３０７）、その後に手順をリターンさせて今回の処理を終了する。
【００５２】
これによれば、その後の除霜運転処理において検出温度が基準温度以上となる場合に、新たにカウントされることとなる。
【００５３】
以上説明したように、本発明の実施の形態である制御装置２０によれば、設定制御部２０ａが、入力した店舗販売情報から所定期間における単位時間当たりの販売数を算出し、単位時間当たりの販売数の値が連続して基準販売数以下となる時間帯は、他の時間帯よりも商品の冷却源となる蒸発器１３に付着した霜を除去する除霜運転を優先させる除霜優先モードに設定するので、店舗販売数が多い時間帯を避けるようにして、除霜運転を店舗稼働状況（店舗販売状況）に応じて実施することができる。これにより、商品の販売機会を逸脱してしまうことを抑制できる。
【００５４】
上記制御装置２０によれば、制御手段（設定制御部２０ａ及び運転制御部２０ｂ）が、通常モードに設定した場合には、温度センサ１４による検出温度が基準温度以上となる回数が連続して第１基準回数（１０回）以上となるときに除霜運転を行う一方、除霜優先モードに設定した場合には、温度センサ１４による検出温度が基準温度以上となる回数が連続して第２基準回数（３回）以上となるときに除霜運転を行うので、店舗１における販売数が少ないときに積極的に除霜運転を行うことができる。
【００５５】
以上、本発明の好適な実施の形態について説明したが、本発明はこれに限定されるものではなく、種々の変更を行うことができる。
【００５６】
上述した実施の形態では、店舗内機器がショーケース１０であり、かつ保守運転が除霜運転であるとして説明したが、本発明においては、店舗内機器が例えばカップ等の飲料容器に対して飲料を提供する飲料サーバー（飲料提供装置）であってもよいし、保守運転が、飲料サーバーの内部の飲料供給ラインを洗浄する洗浄運転であってもよい。
【００５７】
上述した実施の形態では、店舗販売情報を店舗稼働情報とし、販売数の値を店舗稼働値として説明したが、本発明においては、店舗のドアの開閉回数に関する情報を店舗稼働情報としてもよいし、該ドアの開閉回数の値を店舗稼働値としてもよい。
【００５８】
上述した実施の形態では、モード設定処理において、例えば３０日間を所定期間として単位時間当たりの販売数を算出していたが、本発明においては、所定期間として、例えば１ヶ月間や３ヶ月間、あるいは半年間等の種々の期間を適宜採用してもよい。
【００５９】
上述した実施の形態では、１０回を第１基準回数とし、３回を第２基準回数として説明したが、本発明においては、第１基準回数及び第２基準回数は、それぞれ任意の回数を設定してもよい。
【符号の説明】
【００６０】
１  店舗
２  上位機器
１０  ショーケース
１１  収納室
１２  ファン
１３  蒸発器
１４  温度センサ
１５  ヒータ
１６  圧縮機
２０  制御装置
２０ａ  設定制御部
２０ｂ  運転制御部
２１ａ  通信処理部
２２ａ  算出処理部
２３ａ  設定処理部
２５ａ  メモリ
２１ｂ  入力処理部
２２ｂ  比較処理部
２３ｂ  判定処理部
２４ｂ  出力処理部
２５ｂ  メモリ
【図１】
2018115810.tif 000003
【図２】
2018115810.tif 000004
【図３】
2018115810.tif 000005
【図４】
2018115810.tif 000006
【図５】
2018115810.tif 000007